(57)【要約】【課題】注射器やスピッツを一時的に仮置きすることが可能な注射針用廃棄容器を提供すること。【解決手段】注射器本体と、注射器本体に固定されスピッツに接続される針ユニットと、を備える注射器の針ユニットを、注射器本体から取外して廃棄するための注射針用廃棄容器１は、容器部２、３と、容器部２、３に設けられ、針ユニットを注射器本体から取外し、取外された針ユニットを容器部２、３の内部に形成された針ユニット収容空間２７に導入する注射針分離部３１と、を備える。容器部２、３には、注射器が載置される注射器載置部３２、スピッツが載置されるスピッツ載置部３３、のうちの少なくとも一つが存在する。【選択図】図２
2016093329.tif 000002
【特許請求の範囲】
【請求項１】
注射器本体と、前記注射器本体に固定されスピッツに接続される針ユニットと、を備える注射器の前記針ユニットを、前記注射器本体から取外して廃棄するための注射針用廃棄容器であって、
容器部と、
前記容器部に設けられ、前記針ユニットを前記注射器本体から取外し、取外された前記針ユニットを前記容器部の内部に形成された針ユニット収容空間に導入する注射針分離部と、を備え、
前記容器部には、前記注射器が載置される注射器載置部、前記スピッツが載置されるスピッツ載置部、のうちの少なくとも一つが存在する注射針用廃棄容器。
【請求項２】
前記注射針分離部は、前記針ユニット収容空間と前記容器部の外部空間とを連通可能な分離部開口部と、弾性変形することにより前記分離部開口部を開閉可能に遮蔽する弾性蓋部と、を有し、
前記分離部開口部を形成する開口周縁部は、前記分離部開口部に挿入された前記針ユニットに係合して、前記針ユニットは、前記注射器本体から取外される請求項１記載の注射針用廃棄容器。
【請求項３】
前記弾性蓋部は、前記分離部開口部に前記針ユニットが挿入されたときに、前記注射器を前記開口周縁部に押圧するように弾性変形する請求項２記載の注射針用廃棄容器。
【請求項４】
前記容器部は、一端部に開口部が形成され他端部が閉塞された筒状の壁部を備え、前記壁部の内面によって、前記注射器本体から取外された前記針ユニットを収容可能であり前記開口部に連通する前記針ユニット収容空間が形成された容器本体と、前記開口部に対して着脱可能であり、前記開口部を閉塞可能な蓋体と、を備え、
前記注射針分離部、前記注射器載置部、及び、前記スピッツ載置部は、前記蓋体に存在する請求項１〜請求項３のいずれかに記載の注射針用廃棄容器。
【発明の詳細な説明】
【技術分野】
【０００１】
本発明は、使用済みの注射器の注射器本体から針ユニットを取外すと共に、取外した針ユニットを、廃棄前に一時的に安全に収容する注射針用廃棄容器に関する。
【背景技術】
【０００２】
従来より、使用済みの注射器の注射器本体から針ユニットを取外し、取外した針ユニットを収容する注射針用廃棄容器が知られている。注射針用廃棄容器は、容器本体と、蓋部と、を有しており、蓋部は、閉止部材と、孔部が形成された針ユニット取外し板と、を有している。針ユニット取外し板は、針ユニット取外し板が使用されないときには、外蓋を構成する閉止部材によって覆われている。外蓋を構成する閉止部材の外面（上面）は、平坦面により構成されている。針ユニット取外し板の孔部を用いて針ユニットを注射器本体から取外す際には、閉止部材が開かれ、針ユニット取外し板が露出された状態とされる。このとき、使用済みの針ユニットを一時的に収容するための、容器本体の内部の針ユニット収容空間は、開放された状態とされる（特許文献１参照）。
【先行技術文献】
【特許文献】
【０００３】
【特許文献１】特許第５３９４５２０号公報
【発明の概要】
【発明が解決しようとする課題】
【０００４】
医療現場の採血作業時や、注射針用廃棄容器へ注射針を廃棄する作業の前後においては、注射器あるいはスピッツを一時的に仮置きしたいことがある。しかし、それらを仮置きできるようにするためには、専用の収容器具を複数用意する必要がある。
【０００５】
しかし、医療現場のスペースは狭いことが多く、用意したこれらの収容容器のいくつかを、やむを得ず不安定な場所（ベッドの枕元等）に置かなければならない場合がある。この場合には、収容容器が転倒して、収容容器の内部の収容物である使用済みの針ユニットが外部に漏れ、二次感染が発生する懸念がある。
【０００６】
本発明は、注射器やスピッツを一時的に仮置きすることが可能な注射針用廃棄容器を提供することを目的とする。
【課題を解決するための手段】
【０００７】
本発明は、注射器本体と、前記注射器本体に固定されスピッツに接続される針ユニットと、を備える注射器の前記針ユニットを、前記注射器本体から取外して廃棄するための注射針用廃棄容器であって、容器部と、前記容器部に設けられ、前記針ユニットを前記注射器本体から取外し、取外された前記針ユニットを前記容器部の内部に形成された針ユニット収容空間に導入する注射針分離部と、を備え、前記容器部には、前記注射器が載置される注射器載置部、前記スピッツが載置されるスピッツ載置部、のうちの少なくとも一つが存在する注射針用廃棄容器に関する。
【０００８】
また、前記注射針分離部は、前記針ユニット収容空間と前記容器部の外部空間とを連通可能な分離部開口部と、弾性変形することにより前記分離部開口部を開閉可能に遮蔽する弾性蓋部と、を有し、前記分離部開口部を形成する開口周縁部は、前記分離部開口部に挿入された前記針ユニットに係合して、前記針ユニットは、前記注射器本体から取外されることが好ましい。
【０００９】
また、前記弾性蓋部は、前記分離部開口部に前記針ユニットが挿入されたときに、前記注射器を前記開口周縁部に押圧するように弾性変形することが好ましい。
【００１０】
また、前記容器部は、一端部に開口部が形成され他端部が閉塞された筒状の壁部を備え、前記壁部の内面によって、前記注射器本体から取外された前記針ユニットを収容可能であり前記開口部に連通する前記針ユニット収容空間が形成された容器本体と、前記開口部に対して着脱可能であり、前記開口部を閉塞可能な蓋体と、を備え、前記注射針分離部、前記注射器載置部、及び、前記スピッツ載置部は、前記蓋体に存在することが好ましい。
【発明の効果】
【００１１】
本発明によれば、注射器やスピッツを一時的に仮置きすることが可能な注射針用廃棄容器を提供することができる。
【図面の簡単な説明】
【００１２】
【図１Ａ】本発明の第１実施形態による注射針用廃棄容器１を示す斜視図である。
【図１Ｂ】本発明の第１実施形態による注射針用廃棄容器１を示す断面図である。
【図１Ｃ】図１Ｂの一点鎖線で囲った部分を示す拡大断面図である。
【図２】本発明の第１実施形態による注射針用廃棄容器１の蓋体３からキャップ３１５を取り外した状態を示す分解斜視図である。
【図３】本発明の第１実施形態による注射針用廃棄容器１の蓋体３からキャップ３１５が取り外された状態を示す平面図である。
【図４Ａ】本発明の第１実施形態による注射針用廃棄容器１の容器本体２から蓋体３を取り外した状態を示す分解斜視図である。
【図４Ｂ】本発明の第１実施形態による注射針用廃棄容器１の容器本体２から蓋体３を取り外した状態を示す拡大断面図である。
【図４Ｃ】本発明の第１実施形態による注射針用廃棄容器１の蓋体３のフック係止孔３０２に、容器本体２のフック部２８２が係止された様子を示す拡大断面図である。
【図５】本発明の第１実施形態による注射針用廃棄容器１に注射器Ｓ１を仮置きした様子を示す正面図である。
【図６】本発明の第１実施形態による注射針用廃棄容器１にスピッツＳＰを仮置きした様子を示す正面図である。
【図７Ａ】本発明の第１実施形態による注射針用廃棄容器１の注射針分離部３１の切り欠き３１４に、針ユニットＳ２０の針部Ｓ２１を挿入している様子を示す模式図である。
【図７Ｂ】本発明の第１実施形態による注射針用廃棄容器１の注射針分離部３１の切り欠き３１４に、針ユニットＳ２０のフランジ部Ｓ２２を挿入している様子を示す模式図である。
【図７Ｃ】本発明の第１実施形態による注射針用廃棄容器１の注射針分離部３１の分離部開口周縁部３１３に、針ユニットＳ２０のフランジ部Ｓ２２が係合した様子を示す模式図である。
【図７Ｄ】本発明の第１実施形態による注射針用廃棄容器１の注射針分離部３１によって、針ユニットＳ２０が注射器本体Ｓ１０から取外された様子を示す模式図である。
【図８Ａ】本発明の第２実施形態による注射針用廃棄容器１Ａを示す上方斜視図である。
【図８Ｂ】本発明の第２実施形態による注射針用廃棄容器１Ａを示す下方斜視図である。
【図８Ｃ】本発明の第２実施形態による注射針用廃棄容器１Ａがベッド１００Ａに支持されている様子を示す部分断面図である。
【図９Ａ】本発明の第３実施形態による注射針用廃棄容器１Ｂを示す上方斜視図である。
【図９Ｂ】本発明の第３実施形態による注射針用廃棄容器１Ｂを示す下方斜視図である。
【図９Ｃ】本発明の第３実施形態による注射針用廃棄容器１Ｂがベッド１００Ｂに支持されている様子を示す部分断面図である。
【図１０】本発明の第４実施形態による注射針用廃棄容器１Ｃを示す模式図である。
【発明を実施するための形態】
【００１３】
以下、本発明の第１実施形態による注射針用廃棄容器について、図１Ａ〜図６を参照しながら説明する。
図１Ａは、本発明の第１実施形態による注射針用廃棄容器１を示す斜視図である。図１Ｂは、本発明の第１実施形態による注射針用廃棄容器１を示す断面図である。図１Ｃは、図１Ｂの一点鎖線で囲った部分を示す拡大断面図である。図２は、本発明の第１実施形態による注射針用廃棄容器１の蓋体３からキャップ３１５を取り外した状態を示す分解斜視図である。図３は、本発明の第１実施形態による注射針用廃棄容器１の蓋体３からキャップ３１５が取り外された状態を示す平面図である。
【００１４】
図４Ａは、本発明の第１実施形態による注射針用廃棄容器１の容器本体２から蓋体３を取り外した状態を示す分解斜視図である。図４Ｂは、本発明の第１実施形態による注射針用廃棄容器１の容器本体２から蓋体３を取り外した状態を示す拡大断面図である。図４Ｃは、本発明の第１実施形態による注射針用廃棄容器１の蓋体３のフック係止孔３０２に、容器本体２のフック部２８２が係止された様子を示す拡大断面図である。図５は、本発明の第１実施形態による注射針用廃棄容器１に注射器Ｓ１を仮置きした様子を示す正面図である。図６は、本発明の第１実施形態による注射針用廃棄容器１にスピッツＳＰを仮置きした様子を示す正面図である。
【００１５】
ここで、説明の便宜上、後述の奥壁２３から前壁２４へ向かう方向（図１における左上から右下へ向かう方向）を前方向Ｄ１１と定義し、その反対の方向を後方向Ｄ１２と定義し、これらを前後方向Ｄ１と定義する。また、後述の容器本体２から蓋体３へと向かう方向（図１における上方向）を上方向Ｄ２１と定義し、その反対の方向を下方向Ｄ２２と定義し、これらを上下方向Ｄ２と定義する。また、後述する第２側壁２６から第１側壁２５へと向かう方向（図１における右上から左下へ向かう方向）を左方向Ｄ３１と定義し、その反対の方向を右方向Ｄ３２と定義し、これらを左右方向Ｄ３と定義する。主要な図面においては、これらの方向を示す矢印を付して説明する。
【００１６】
注射針用廃棄容器１に載置される注射器Ｓ１（図７Ａ等参照）は、注射器本体Ｓ１０と、針ユニットＳ２０と、を備えている。針ユニットＳ２０は、針ユニットＳ２０が注射器本体Ｓ１０から強く引かれることにより、注射器本体Ｓ１０から外れる程度の強度で、注射器本体Ｓ１０の先端部に固定されている。注射器本体Ｓ１０には、スピッツＳＰ（採血管、図６参照）を装着可能である。針ユニットＳ２０は、図７Ａ等に示すように、細い円筒状を有する針部Ｓ２１と、針部Ｓ２１の基部に固定されたフランジ部Ｓ２２とを有する。針ユニットＳ２０のフランジ部Ｓ２２は、注射器本体Ｓ１０に装着されたスピッツＳＰに接続される。針ユニットＳ２０の長手方向における針ユニットＳ２０の長さは、１５ｍｍ〜２００ｍｍ程度である。また、針ユニットＳ２０のフランジ部Ｓ２２の直径は、７ｍｍ〜１０ｍｍ程度である。
【００１７】
図１Ａ等に示すように、注射針用廃棄容器１は、容器部を構成する容器本体２と、容器部を構成する蓋体３と、を有している。
【００１８】
容器本体２は、上端部に容器本体開口部２１（図４Ａ等参照）が形成され、下端部が閉塞された筒状の壁部２０を有する。容器本体２内には針ユニット収容空間２７が形成されている。針ユニット収容空間２７は、壁部２０により取り囲まれて形成されている。針ユニット収容空間２７には、図１に示すように、注射器本体Ｓ１０から取外された使用済みの針ユニットＳ２０を収容可能である。
【００１９】
蓋体３は、容器本体開口部２１を形成する開口周縁部２８（図４Ａ等）に対して着脱可能であり、容器本体開口部２１を閉塞可能である。以下、各部について、詳細に説明する。
【００２０】
注射針用廃棄容器１は、ポリプロピレン、ポリエチレン等の、焼却により容易に熱分解、油化する樹脂で構成されており、このため、使用済みの針ユニットＳ２０を針ユニット収容空間２７に収容後に、注射針用廃棄容器１を焼却・廃棄可能である。図１Ａ等に示すように、容器本体２の壁部２０は、下壁２２と奥壁２３と前壁２４と第１側壁２５と第２側壁２６とを有する。下壁２２、奥壁２３、前壁２４、第１側壁２５、及び第２側壁２６は、上述のように樹脂材料により構成されている。
【００２１】
第１側壁２５と第２側壁２６とは対向しており、奥壁２３と前壁２４とは対向している。奥壁２３の下端、前壁２４の下端、第１側壁２５の下端、及び第２側壁２６の下端は、全て下壁２２に接続されている。奥壁２３の上端、前壁２４の上端、第１側壁２５の上端、及び第２側壁２６の上端は、下壁２２に対向する位置関係を有し、略長方形状をした容器本体開口部２１を形成する開口周縁部２８を構成する。上下方向Ｄ２に直交する針ユニット収容空間２７の断面積は、下壁２２から容器本体開口部２１（図４Ａ等）へ近づくにつれて、徐々に大きくなるように構成されており、容器本体２の外周面、内周面は、それぞれ下壁２２から容器本体開口部２１へ近づくにつれて、徐々に拡大している。
【００２２】
開口周縁部２８は、容器本体２の一端部に設けられており、下壁２２は、容器本体２の他端部に位置している。壁部２０の外面により形成される容器本体２の外形は箱状である。壁部２０の内面、即ち、下壁２２の内面、奥壁２３の内面、前壁２４の内面、第１側壁２５の内面、及び第２側壁２６の内面は、これらによって取り囲まれた針ユニット収容空間２７（図４Ａ等）を形成している。開口周縁部２８に形成された容器本体開口部２１は、壁部２０により取り囲まれて容器本体２の内部に形成された針ユニット収容空間２７に連通している。
【００２３】
図４Ａ等に示すように、第１側壁２５の上端、及び第２側壁２６の上端により構成される開口周縁部２８の部分であって、前後方向Ｄ１における中央の部分には、略長方形状の板状を有する下垂部２８１が、それぞれ開口周縁部２８に一体成形されて接続されている。下垂部２８１の長手方向は、前後方向Ｄ１に一致する。下垂部２８１は、開口周縁部２８から下方向へ延びている。前後方向Ｄ１における下垂部２８１の両端部の下部には、フック部２８２がそれぞれ存在している。フック部２８２は、図４Ｂ等に示すように、下方向へ向うにつれて下垂部２８１からの突出量が多くなる形状を有している。
【００２４】
図１Ａに示すように、蓋体３は、容器本体２の開口周縁部２８の形状と略一致する略長方形状を有している。図３に示すように、左右方向Ｄ３における蓋体３の長さＡは２００ｍｍ程度であり、前後方向Ｄ１における蓋体３の長さＢは１００ｍｍ程度である。略長方形状を有する蓋体３の一対の短辺の中央部には、それぞれ、略長方形状の板状を有する蓋体下垂部３０１（図４Ａ等参照）が、蓋体３の一対の短辺の中央部と一体成形されて接続されている。蓋体下垂部３０１の長手方向は、前後方向Ｄ１に一致する。蓋体下垂部３０１は、蓋体３から下方向へ延びている。前後方向Ｄ１における、蓋体下垂部３０１、３０１の両端部の下部には、フック係止孔３０２がそれぞれ形成されている。フック係止孔３０２は、上下方向Ｄ２に延びる長円形状の貫通孔により構成されており、フック係止孔３０２には、フック部２８２が係止可能である。
【００２５】
図４Ａに示すように、蓋体３を、容器本体２の開口周縁部２８の形状と略一致する位置関係で容器本体２に接近させてゆき、蓋体下垂部３０１を下垂部２８１に対して下方向へ摺動させて、図４Ｂに示す状態から図４Ｃに示す状態となるように、蓋体下垂部３０１の下端部がフック部２８２を乗り越えることにより、フック部２８２は、フック係止孔３０２に係止される。これにより、フック部２８２及び下垂部２８１と一体成形された容器本体２に、蓋体下垂部３０１と一体成形された蓋体３が、固定される。蓋体下垂部３０１と下垂部２８１との間には、指等を挿入することができない構成になっている。このため、この固定は、蓋体３を容器本体２から取外すための治具等を用いなければ容器本体２から取外すことができない、いわゆる嵌め殺しの状態となっている。即ち、蓋体３は容器本体２の開口周縁部２８に対して着脱可能であり、開口周縁部２８に蓋体３が装着されることにより、蓋体３は、容器本体開口部２１を閉塞可能である。
【００２６】
容器部を構成する蓋体３は、図２等に示すように、注射針分離部３１を有している。注射針分離部３１は、針ユニットＳ２０を注射器本体Ｓ１０から取外し、取外された針ユニットＳ２０を容器部としての容器本体２の内部に形成された針ユニット収容空間２７に導入する。具体的には、注射針分離部３１は、分離部開口部３１１と弾性蓋部３１２とを有している。分離部開口部３１１は、左右方向Ｄ３における蓋体３の右寄りの略３分の１程度の部分に位置しており、前後方向Ｄ１に延びる長方形状の貫通孔により構成されている。分離部開口部３１１は、針ユニット収容空間２７と、蓋体３と容器本体２により構成される容器部の外部空間と、を連通可能である。
【００２７】
弾性蓋部３１２は、図３等に示すように、分離部開口部３１１の大部分を遮蔽可能な略長方形状の板状を有しており、弾性変形可能な薄肉形状により構成されている。本実施形態では、弾性蓋部３１２は、蓋体３の分離部開口部３１１の周囲を構成する分離部開口周縁部３１３と一体成形されており、右方向Ｄ３２へ進むにつれて徐々に薄くなる。これにより、弾性蓋部３１２は、略長方形状の弾性蓋部３１２の左側の長辺（左側の端縁）の部分を固定端とし、略長方形状の弾性蓋部３１２の右側の長辺（右側の端縁）の部分を自由端として弾性変形可能である。弾性蓋部３１２は、後述のように注射器Ｓ１の針ユニットＳ２０を押しつけることにより分離部開口部３１１が開く程度の弾性力を有しているが、注射針用廃棄容器１を上下逆さまにして針ユニットＳ２０が弾性蓋部３１２に衝突したときには、分離部開口部３１１が開かずに閉じて遮蔽されたままである程度の弾性力を有している。
【００２８】
この構成により、弾性蓋部３１２は、分離部開口部３１１を開閉可能に遮蔽する。また、分離部開口部３１１に針ユニットＳ２０が挿入され、針ユニットＳ２０が針ユニット収容空間２７内に完全に入ったときに、弾性蓋部３１２の弾性変形により、弾性蓋部３１２は、注射器Ｓ１の注射器本体Ｓ１０の先端部を、後述のように、分離部開口周縁部３１３の右側の部分に押圧する。
【００２９】
略長方形状の弾性蓋部３１２の右側の長辺（弾性蓋部３１２の右側の端縁）には、３つの切り欠き３１４が形成されている。３つの切り欠き３１４は、それぞれ半円形状を有しており、前寄りの切り欠き３１４ほど径が大きい。後から前方向へ向かって順に、切り欠き３１４の直径は、５ｍｍ、７．５ｍｍ、１０ｍｍである。この直径は、針ユニットＳ２０のフランジ部Ｓ２２の直径よりも小さい。また、略長方形状の弾性蓋部３１２の右側の長辺（弾性蓋部３１２の右側の端縁）から分離部開口周縁部３１３までの最短距離Ｃ１は、２ｍｍであり、弾性蓋部３１２と分離部開口周縁部３１３との間には、空間が形成されている。同様に、略長方形状の弾性蓋部３１２の上側の短辺、下側の短辺（弾性蓋部３１２の上側の端縁、下側の端縁）のそれぞれから、分離部開口周縁部３１３までの最短距離Ｃ２は、それぞれ２ｍｍであり、この部分においても、弾性蓋部３１２と分離部開口周縁部３１３との間には、空間が形成されている。
【００３０】
分離部開口周縁部３１３には、図２等に示すように、キャップ３１５を装着可能である。キャップ３１５は、分離部開口部３１１よりも大きな略長方形状を有している。キャップ３１５の長手方向における両端部には、それぞれキャップ切欠き部３１６が形成されている。キャップ切欠き部３１６が形成されているキャップ３１５の部分には、それぞれ下方へ延出するキャップフック部３１７（図１Ｃ参照）が存在する。キャップフック部３１７は、キャップ切欠き部３１６が形成されているキャップ３１５の部分に、一体成形されることにより接続されている。
【００３１】
図１Ａ、図１Ｂ、図１Ｃ、図２、図３に示すように、一対のキャップフック部３１７は、分離部開口部３１１の前端部及び後端部を形成している分離部開口周縁部３１３の部分（分離部開口周縁部３１３の前部及び後部）にそれぞれ係合可能であり、この係合により分離部開口部３１１は、キャップ３１５により完全に閉塞される。キャップ３１５と分離部開口周縁部３１３との間には、指を挿入することはできない構成になっている。このため、この係合は、キャップ３１５を分離部開口周縁部３１３から取外すための治具を用いなければ、分離部開口周縁部３１３から取外すことができない、いわゆる嵌め殺しの状態となっている。
【００３２】
蓋体３の上面には、注射器Ｓ１が載置される注射器載置部３２が存在している。注射器載置部３２は、一対設けられており、左右方向Ｄ３における蓋体３の右寄りの略４分の１程度の部分と、左右方向Ｄ３における蓋体３の左寄りの略４分の１程度の部分と、に位置している。注射器載置部３２は、板状の台形の上部を半円形状に切り欠いたような形状を有している。図１Ａ等に示すように、一対の注射器載置部３２の上部の切り欠いたような形状の部分に、それぞれ注射器本体Ｓ１０が載置されることにより、一対の注射器載置部３２に注射器Ｓ１が載置されるように構成されている。
【００３３】
左右方向Ｄ３における蓋体３の前端縁部の中央部分には、スピッツＳＰが載置されるスピッツ載置部３３が存在する。スピッツ載置部３３は、水平平板部３３１と有底筒状部３３２とを有している。水平平板部３３１は、略長方形状の板状を有しており、水平平板部３３１の幅方向が前方向Ｄ１１に一致する位置関係で前方向に３５ｍｍ程度突出し（図３中の寸法Ｄ）、水平平板部３３１の長手方向が左右方向Ｄ３に一致する位置関係で左右方向に９０ｍｍ程度延びている（図３中の寸法Ｅ）。水平平板部３３１には、図３に示すように、所定の間隔で、３つの開口部３３３が存在している。
【００３４】
有底筒状部３３２は、下端が半球状の底を有しており、上端は、開口部を有しており、側面には、上下方向に延びる切欠きが形成さている。有底筒状部３３２の上端の開口部は、水平平板部３３１の開口部３３３に一体成形されて接続されている。従って、有底筒状部３３２は、水平平板部３３１の開口部３３３から下方向へ延び、下端が塞がれた有底筒状を有している。有底筒状部３３２の側面の部分には、図３等に示すように、内方突出部３３４が存在している。内方突出部３３４は、有底筒状部３３２の内面の周方向に等間隔で、３つ存在しており、上下方向Ｄ２に延びている。開口部３３３から挿入されたスピッツＳＰは、平面視で三方において内方突出部３３４に当接した状態で、有底筒状部３３２の内部に圧入される。これにより、スピッツＳＰは、図６に示すように、有底筒状部３３２に一時的に固定された状態で、仮置きすることができるように構成されている。
【００３５】
次に、注射針用廃棄容器１を用いて、針ユニットＳ２０を注射器本体Ｓ１０から取外して廃棄する工程について、図７Ａ〜図７Ｄを参照しながら説明する。
図７Ａは、本発明の第１実施形態による注射針用廃棄容器１の注射針分離部３１の切り欠き３１４に、針ユニットＳ２０の針部Ｓ２１を挿入している様子を示す模式図である。図７Ｂは、本発明の第１実施形態による注射針用廃棄容器１の注射針分離部３１の切り欠き３１４に、針ユニットＳ２０のフランジ部Ｓ２２を挿入している様子を示す模式図である。図７Ｃは、本発明の第１実施形態による注射針用廃棄容器１の注射針分離部３１の分離部開口周縁部３１３に、針ユニットＳ２０のフランジ部Ｓ２２が係合した様子を示す模式図である。図７Ｄは、本発明の第１実施形態による注射針用廃棄容器１の注射針分離部３１によって、針ユニットＳ２０が注射器本体Ｓ１０から取外された様子を示す模式図である。
【００３６】
先ず、注射器Ｓ１の針ユニットＳ２０の針部Ｓ２１の先端を、図７Ａに示すように、弾性蓋部３１２の３つの切り欠き３１４のうちの１つに挿入する。そして更に、注射器Ｓ１の針ユニットＳ２０の針部Ｓ２１を弾性蓋部３１２の切り欠き３１４に挿入してゆき、図７Ｂに示すように、針ユニットＳ２０のフランジ部Ｓ２２で弾性蓋部３１２を下方向Ｄ２２に押すことにより、分離部開口部３１１を遮蔽している弾性蓋部３１２を弾性変形させて、分離部開口部３１１を開く。
【００３７】
そして、更に針ユニットＳ２０のフランジ部Ｓ２２で弾性蓋部３１２を下方向Ｄ２２に押して、針ユニットＳ２０及びフランジ部Ｓ２２を針ユニット収容空間２７内に完全に押し込む。このとき、弾性蓋部３１２の弾性変形によって、弾性蓋部３１２は、図７Ｃに示すように、注射器Ｓ１の注射器本体Ｓ１０の先端部を、注射器本体Ｓ１０の先端部の、図７Ｂにおける左側の分離部開口周縁部３１３の部分に押圧する。これにより、フランジ部Ｓ２２が当該分離部開口周縁部３１３の部分に係合する。この状態で、図７Ｄに示すように、注射器本体Ｓ１０を上方向に引っ張り上げることにより、針ユニットＳ２０は、注射器本体Ｓ１０から取外され、廃棄処分される前に一時的に針ユニット収容空間２７に収容された状態とされる。
【００３８】
上記構成の第１実施形態による注射針用廃棄容器１によれば、以下のような効果を得ることができる。
上述のように、注射器本体Ｓ１０と、注射器本体Ｓ１０に固定されスピッツＳＰに接続される針ユニットＳ２０と、を備える注射器Ｓ１の針ユニットＳ２０を、注射器本体Ｓ１０から取外して廃棄する注射針用廃棄容器１は、容器部としての容器本体２及び蓋体３と、注射針分離部３１と、を備える。注射針分離部３１は、容器部としての蓋体３に設けられ、針ユニットＳ２０を注射器本体Ｓ１０から取外し、取外された針ユニットＳ２０を容器部としての容器本体２及び蓋体３の内部に形成された針ユニット収容空間２７に導入する。容器部としての蓋体３には、注射器Ｓ１が載置される注射器載置部３２、スピッツＳＰが載置されるスピッツ載置部３３が存在する。
【００３９】
上記構成により、１つの注射針用廃棄容器１を用意することで、使用済みの針ユニットＳ２０を廃棄処分する前に一時的に収容することができ、且つ、医療現場において、注射器Ｓ１やスピッツＳＰを一時的に仮置きすることができる。従って、医療現場の狭いスペースにおいて、場所を占有せずに、従来よりも省スペースで医療作業を効率よく行うことができる。また、容器をいくつも用意せずに済むため、容器を転倒させないように注意を払うことを軽減することができ、容器を転倒させて使用済みの針ユニットＳ２０が容器の外部に放出されることにより生ずる二次感染の予防に貢献することができる。また、各患者専用の注射針用廃棄容器１を用意することにより、各患者専用の注射器Ｓ１、スピッツＳＰのみを当該患者専用の注射針用廃棄容器１において、医療作業を行うことができる。このため、他の患者の注射器Ｓ１等を間違えて使用することを防止できる。
【００４０】
また、注射針分離部３１は、針ユニット収容空間２７と容器部としての容器本体２及び蓋体３の外部空間とを連通可能な分離部開口部３１１と、弾性変形することにより分離部開口部３１１を開閉可能に遮蔽する弾性蓋部３１２と、を有する。分離部開口部３１１を形成する分離部開口周縁部３１３は、分離部開口部３１１に挿入された針ユニットＳ２０に係合して、針ユニットＳ２０は、注射器本体Ｓ１０から取外される。
【００４１】
上記構成により、注射器Ｓ１の針ユニットＳ２０を分離部開口部３１１に挿入させて、分離部開口部３１１を形成する分離部開口周縁部３１３が、分離部開口部３１１に挿入された針ユニットＳ２０に係合した状態のときに、注射器本体Ｓ１０を引き抜くことにより、容易に針ユニットＳ２０を、注射器本体Ｓ１０から取外すことができる。
【００４２】
弾性蓋部３１２は、分離部開口部３１１に針ユニットＳ２０が挿入されたときに、注射器Ｓ１を分離部開口周縁部３１３に押圧するように弾性変形する。この構成により、注射器Ｓ１を分離部開口周縁部３１３に意図的に押圧しなくても、自然に注射器Ｓ１を分離部開口周縁部３１３に押圧することができる。このため、針ユニットＳ２０を分離部開口部３１１に挿入することにより容易に分離部開口部３１１を形成する分離部開口周縁部３１３に、針ユニットＳ２０を係合させることができ、注射器本体Ｓ１０を引き抜くことにより、確実且つ容易に針ユニットＳ２０を注射器本体Ｓ１０から取外すことができる。
【００４３】
また、弾性蓋部３１２の周縁と分離部開口周縁部３１３との間が最短距離Ｃ１、Ｃ２（２ｍｍ）で離間していることにより生ずる隙間は、針ユニットＳ２０のフランジ部Ｓ２２の直径（７ｍｍ〜１０ｍｍ）よりも小さいため、注射針用廃棄容器１が転倒した際に、針ユニット収容空間２７に収容された針ユニットＳ２０が容易に容器外部へ漏れることを阻止することができる。
【００４４】
また、針ユニットＳ２０及び注射針用廃棄容器１の廃棄時に、分離部開口部３１１にキャップ３１５を係合させて、分離部開口部３１１をキャップ３１５により完全に閉塞することができる。更に、注射針用廃棄容器１は、ポリプロピレン、ポリエチレン等の、焼却により容易に熱分解、油化する樹脂で構成されている。このため、使用済みの針ユニットＳ２０を針ユニット収容空間２７に収容後に、針ユニットＳ２０を針ユニット収容空間２７に収容したまま注射針用廃棄容器１を焼却・廃棄可能である。この結果、感染性廃棄物である使用済み針ユニットＳ２０からの二次感染を阻止することができ、安全に針ユニットＳ２０を廃棄できる。
【００４５】
容器部は、一端部に容器本体開口部２１が形成され他端部が閉塞された筒状の壁部２０を備える。壁部２０の内面によって、注射器本体Ｓ１０から取外された針ユニットＳ２０を収容可能であり容器本体開口部２１に連通する針ユニット収容空間２７が形成された容器本体２と、容器本体開口部２１に対して着脱可能であり、容器本体開口部２１を閉塞可能な蓋体３と、を備えている。注射針分離部３１、注射器載置部３２、及び、スピッツ載置部３３は、蓋体３に存在する。
【００４６】
上記構成により、注射針分離部３１、注射器載置部３２、及び、スピッツ載置部３３は、蓋体３にコンパクトに纏められているため、医療作業を効率よく行うことができる。
【００４７】
以下、本発明の第２実施形態による注射針用廃棄容器について図８Ａ〜図８Ｃを参照しながら説明する。
図８Ａは、本発明の第２実施形態による注射針用廃棄容器１Ａを示す上方斜視図である。図８Ｂは、本発明の第２実施形態による注射針用廃棄容器１Ａを示す下方斜視図である。図８Ｃは、本発明の第２実施形態による注射針用廃棄容器１Ａがベッド１００Ａに支持されている様子を示す部分断面図である。
【００４８】
第２実施形態による注射針用廃棄容器１Ａは、容器本体２を支持するための支持部材７Ａを有している点で、第１実施形態による注射針用廃棄容器１とは異なる。これ以外の各部の構成については、第１実施形態による注射針用廃棄容器１の各部の構成と同様である。第１実施形態における各構成と同様の構成については、同様の符号を付して説明を省略する。
【００４９】
支持部材７Ａは、帯状部７１Ａと、平板延出部７２Ａと、リブ部７３Ａと、挿入部７４Ａとを有している。帯状部７１Ａは、帯状の環状を有しており、上下方向Ｄ２における容器本体２の中央部の少し上側の部分を、周方向に取り巻くように、即ち、容器本体２の奥壁２３と前壁２４と第１側壁２５と第２側壁２６とを取り巻くように、容器本体２に固定されている。この固定は、環状の帯状部７１Ａの中央開口に、容器本体２が容器本体２の下壁２２から挿入されてゆき、上方向Ｄ２１にゆくにつれて拡大する容器本体２の外周面が、支持部材７Ａの帯状部７１Ａの内周面に当接して圧入された状態となることにより行われる。即ち、環状の帯状部７１Ａは、容器本体２に対して着脱可能である。
【００５０】
平板延出部７２Ａは、奥壁２３に当接している帯状部７１Ａの下端縁から後方向Ｄ１２に延出し、前後方向Ｄ１及び左右方向Ｄ３に平行な位置関係を有する略長方形状の平板状を有している。平板延出部７２Ａは、奥壁２３に当接している帯状部７１Ａの下端縁に一体成形されて接続されている。リブ部７３Ａは、前後方向Ｄ１及び上下方向Ｄ２に平行な位置関係を有する３枚の台形の平板状を有している。リブ部７３Ａは、左右方向Ｄ３における平板延出部７２Ａの中央位置と、左右方向Ｄ３における平板延出部７２Ａの左寄りの４分の１程度の位置と、左右方向Ｄ３における平板延出部７２Ａの右寄りの４分の１程度の位置と、にそれぞれ存在している。リブ部７３Ａは、帯状部７１Ａ及び平板延出部７２Ａに一体成形されて接続されている。
【００５１】
挿入部７４Ａは、上下方向に延びる棒状を有しており、挿入部７４Ａの長手方向に直交する方向における挿入部７４Ａの断面は、略十字形状を有している。挿入部７４Ａの上端は、左右方向における平板延出部７２Ａの中央部の後端部の下面に、一体成形されることにより接続されている。図８Ｃに示すように、挿入部７４Ａがベッド１００Ａ等の欄干に形成されている穴１０１Ａ等に差し込まれることにより、支持部材７Ａはベッド１００Ａ等に支持され、容器本体２及び蓋体３は、支持部材７Ａにより支持されるように構成されている。この構成により、狭いスペースであるベッド１００Ａの周辺において注射器Ｓ１を用いる場合であっても、注射針用廃棄容器１Ａを確実に安定した状態でベッド１００Ａ等に固定することができる。
【００５２】
以下、本発明の第３実施形態による注射針用廃棄容器について図９Ａ〜図９Ｃを参照しながら説明する。
図９Ａは、本発明の第３実施形態による注射針用廃棄容器１Ｂを示す上方斜視図である。図９Ｂは、本発明の第３実施形態による注射針用廃棄容器１Ｂを示す下方斜視図である。図９Ｃは、本発明の第３実施形態による注射針用廃棄容器１Ｂがベッド１００Ｂに支持されている様子を示す部分断面図である。
【００５３】
第３実施形態による注射針用廃棄容器１Ｂにおいては、容器本体２を支持するための支持部材７Ｂの形状が第２実施形態による注射針用廃棄容器１Ａの支持部材７Ａの形状とは異なる。これ以外の各部の構成については、第２実施形態による注射針用廃棄容器１Ａの各部の構成と同様である。第２実施形態における各構成と同様の構成については、同様の符号を付して説明を省略する。
【００５４】
平板延出部７２Ｂは、第２実施形態における平板延出部７２Ａよりも、奥壁２３に当接している帯状部７１Ａの下端縁から後方向Ｄ１２に３倍以上の長さを有して延出している。一方、リブ部７３Ｂは、前後方向Ｄ１において、第２実施形態におけるリブ部７３Ａの２分の１程度の長さを有している。
【００５５】
支持部材７Ｂは、挿入部７４Ａに代えて、ストッパーリブ部７４Ｂを有している。ストッパーリブ部７４Ｂは、前後方向Ｄ１及び上下方向Ｄ２に平行な位置関係を有し、リブ部７３Ｂよりも上下方向Ｄ２の高さが低い３枚の台形の平板状を有している。ストッパーリブ部７４Ｂは、前後方向Ｄ１における平板延出部７２Ｂの中央位置であって、且つ、左右方向Ｄ３における平板延出部７２Ｂの中央位置と、左右方向Ｄ３における平板延出部７２Ｂの左寄りの４分の１程度の位置と、左右方向Ｄ３における平板延出部７２Ｂの右寄りの４分の１程度の位置と、にそれぞれ存在している。ストッパーリブ部７４Ｂは、平板延出部７２Ｂに一体成形されて接続されている。この構成により、ベッド１００Ｂ等の欄干に穴が形成されていない場合や、ベッド１００Ｂ等の欄干の穴が、医療作業を行う際に適切な位置にない場合であっても、図９Ｃに示すように、平板延出部７２Ｂ及びストッパーリブ部７４Ｂをマットレス１０２Ｂとベッド１００Ｂとの間に挟むことにより、ストッパーリブ部７４Ｂがマットレス１０２Ｂに食い込み、注射針用廃棄容器１Ｂを確実に安定した状態でベッド１００Ｂ等に固定することができる。
【００５６】
以下、本発明の第４実施形態による注射針用廃棄容器について図１０を参照しながら説明する。図１０は、本発明の第４実施形態による注射針用廃棄容器１Ｃを示す模式図である。
【００５７】
第１０実施形態による注射針用廃棄容器１Ｃは、マグネット２２１Ｃを有する点で、第１実施形態による注射針用廃棄容器１とは異なる。これ以外の各部の構成については、第１実施形態による注射針用廃棄容器１の各部の構成と同様である。第１実施形態における各構成と同様の構成については、同様の符号を付して説明を省略する。
【００５８】
マグネット２２１Ｃは、下壁２２と略同一形状の長方形状の板状を有している。マグネット２２１Ｃは、下壁２２の下面に、粘着テープ等（図示せず）により固定されている。従って、容器本体２を廃棄する際には、マグネット２２１Ｃを容器本体２から取外して、再利用できるように構成されている。この構成により、針ユニット収容空間２７に収容された針ユニットＳ２０を下壁２２に固定することができ、注射針分離部３１の切り欠き３１４から、針部Ｓ２１が蓋体３の外部に突出することを防ぐことを容易とする。
【００５９】
本発明は、上述した実施形態に限定されることはなく、特許請求の範囲に記載された技術的範囲において変形が可能である。例えば、本実施形態では、注射針用廃棄容器１の蓋体３には、注射器載置部３２及びスピッツ載置部３３が存在したが、この構成に限定されない。容器部には、注射器Ｓ１が載置される注射器載置部３２、スピッツＳＰが載置されるスピッツ載置部３３、のうちの少なくとも一つが存在すればよい。
【００６０】
また、容器部の構成は、本実施形態における容器部の構成に限定されない。例えば、本実施形態では、容器部は、容器本体２、蓋体３を有していたが、この構成に限定されない。また、容器本体、蓋体の形状や、寸法、材料等は、本実施形態における容器本体２、及び、蓋体３の形状や、寸法、材料等に限定されない。例えば、弾性蓋部３１２の３つの切り欠き３１４の直径は、５ｍｍ、７．５ｍｍ、１０ｍｍに限定されない。使用する針ユニットＳ２０の寸法に応じて、適切な値を採るようにすればよい。
また、例えば、弾性蓋部３１２の３つの切り欠き３１４は、それぞれ半円形状を有していたが、この形状に限定されない。
また、例えば、マグネット２２１Ｃは、下壁２２の下面に固定される構成に限定されない。例えば、下壁２２の上面に固定されていてもよい。
【符号の説明】
【００６１】
１、１Ａ、１Ｂ、１Ｃ    注射針用廃棄容器
２    容器本体
３    蓋体
２０    壁部
２７    針ユニット収容空間
３１    注射針分離部
３２    注射器載置部
３３    スピッツ載置部
３１１    分離部開口部
３１２    弾性蓋部
３１３    分離部開口周縁部（開口周縁部）
Ｓ１０    注射器本体
Ｓ２０    針ユニット
ＳＰ    スピッツ
【図１Ａ】
2016093329.tif 000003
【図１Ｂ】
2016093329.tif 000004
【図１Ｃ】
2016093329.tif 000005
【図２】
2016093329.tif 000006
【図３】
2016093329.tif 000007
【図４Ａ】
2016093329.tif 000008
【図４Ｂ】
2016093329.tif 000009
【図４Ｃ】
2016093329.tif 000010
【図５】
2016093329.tif 000011
【図６】
2016093329.tif 000012
【図７Ａ】
2016093329.tif 000013
【図７Ｂ】
2016093329.tif 000014
【図７Ｃ】
2016093329.tif 000015
【図７Ｄ】
2016093329.tif 000016
【図８Ａ】
2016093329.tif 000017
【図８Ｂ】
2016093329.tif 000018
【図８Ｃ】
2016093329.tif 000019
【図９Ａ】
2016093329.tif 000020
【図９Ｂ】
2016093329.tif 000021
【図９Ｃ】
2016093329.tif 000022
【図１０】
2016093329.tif 000023